(57)【特許請求の範囲】
【請求項１】
それぞれ白または黒を切換表示する４つの表示領域を有する１画素を複数並べた表示層に重ねて設けられる透明な受容層と、
前記受容層の前記表示層と対向する側の面と反対側の面に塗布された着色層と、を備え、
前記着色層の１画素は、
前記表示層の前記１画素に含まれる４つの表示領域のうち第１の表示領域と対向した１つの第１の着色層と、
前記第１の表示領域とは別の第２の表示領域と対向した前記第１の着色層と補色の関係にある１つの第２の着色層と、
前記第１の表示領域及び第２の表示領域とは別の２つの第３の表示領域とそれぞれ対向した２つの透明層と、からなる反射型表示装置に用いられるカラーフィルタ。
【請求項２】
前記第１の着色層の面積１に対し、前記第２の着色層の面積は０．５〜２であり、前記透明層の面積は１〜７．５であることを特徴とする請求項１に記載の反射型表示装置に用いられるカラーフィルタ。
【請求項３】
前記第１の着色層は赤色であり、前記第２の着色層はシアン色であり、前記透明層は、透明樹脂層又は空隙であることを特徴とする請求項１に記載の反射型表示装置に用いられるカラーフィルタ。
【請求項４】
それぞれ白または黒を切換表示する４つの表示領域を有する１画素を複数並べた表示層と、
前記表示層に重ねられた透明の受容層と、前記受容層の前記表示層と対向する側の面と反対側の面に塗布された着色層と、を含み、前記着色層の１画素は、前記表示層の前記１画素に含まれる４つの表示領域のうち第１の表示領域と対向した１つの第１の着色層と、前記第１の表示領域とは別の第２の表示領域と対向した前記第１の着色層と補色の関係にある１つの第２の着色層と、前記第１の表示領域及び第２の表示領域とは別の２つの第３の表示領域とそれぞれ対向した２つの透明層と、からなるカラーフィルタと、
前記表示層と前記受容層との間に重ねられる透明電極層と、
前記カラーフィルタに積層して設けられ、前記着色層のインキの剥離を防ぐ保護フィルムと、
を備える反射型表示装置。
【請求項５】
前記表示層は、マイクロカプセル含む電気泳動表示層である請求項４に記載の反射型表示装置。
【請求項６】
前記電気泳動表示層は、白色粒子と黒色粒子の２粒子を含むマイクロカプセルを樹脂中に分散したマイクロカプセル層である請求項５に記載の反射型表示装置。
【発明の詳細な説明】
【技術分野】
【０００１】
本発明は、カラーフィルタ及びそれを備える表示装置に係り、特に、電気泳動式表示装置用カラーフィルタ及びそれを備える電気泳動式表示装置に関する。
【背景技術】
【０００２】
近年、画像表示パネルとしてバックライトを使用した液晶表示パネルが主流であるが、目にかかる負担が大きく、長時間見続ける用途には適していない。
【０００３】
目の負担が小さい表示装置として、一対の電極間に電気泳動表示層を備える反射型表示パネルが提案されている。この電気泳動式表示パネルは、印刷された紙面と同様に、反射光によって文字や画像を表示するものであるため、目に対する負担が小さく、画面を長時間見続ける作業に適している。
【０００４】
現在、電気泳動式表示パネルは、構造上、白黒表示を主とする二色表示が主流であるが、電気泳動表示層上に、赤、緑、青の３原色の画素からなるカラーフィルタを設けて多色表示する表示装置が提案されている（例えば、特許文献１参照）。
【０００５】
一方、多色表示と言っても、フルカラーではなく、白、黒のほかに１色の合計３色の表示があれば十分な用途が存在する。このような用途に、上記フルカラーのカラー表示装置を用いると、カラー表示が暗く、また明るい白の表示が困難であるという問題がある。
【先行技術文献】
【特許文献】
【０００６】
【特許文献１】特開２００３−１６１９６４号公報
【発明の概要】
【発明が解決しようとする課題】
【０００７】
本発明は、上記事情に鑑みてなされたものであって、明るいカラー表示ならびにきれいな白及び黒の表示を可能とする反射型表示装置に用いられるカラーフィルタ及びそれを備える反射型表示装置を提供することを目的とする。
【課題を解決するための手段】
【０００８】
上記課題を解決するため、本発明の第１の態様は、それぞれ白または黒を切換表示する４つの表示領域を有する１画素を複数並べた表示層に重ねて設けられる透明な受容層と、この受容層の表示層と対向する側の面と反対側の面に塗布された着色層と、を備え、この着色層の１画素は、表示層の前記１画素に含まれる４つの表示領域のうち第１の表示領域と対向した１つの第１の着色層と、この第１の表示領域とは別の第２の表示領域と対向した第１の着色層と補色の関係にある１つの第２の着色層と、当該第１の表示領域及び第２の表示領域とは別の２つの第３の表示領域とそれぞれ対向した２つの透明層と、からなる反射型表示装置に用いられるカラーフィルタを提供する。
【０００９】
カラーフィルタは、透明な第３のサブ画素を更に含むことができる。また、１画素が、前記第１のサブ画素、前記第２のサブ画素、及び第３のサブ画素からなるものとすることができる。
【００１０】
この場合、前記第１のサブ画素の面積１に対し、前記第２のサブ画素の面積を０．５〜２とし、前記第３のサブ画素の面積を０〜７．５とすることができる。また、前記第１のサブ画素を赤色着色層とし、前記第２のサブ画素をシアン色着色層とし、前記第３のサブ画素を、透明樹脂層又は空隙とすることができる。
【００１１】
本発明の第２の態様は、それぞれ白または黒を切換表示する４つの表示領域を有する１画素を複数並べた表示層と、この表示層に重ねられた透明の受容層と、この受容層の表示層と対向する側の面と反対側の面に塗布された着色層と、を含み、この着色層の１画素は、表示層の１画素に含まれる４つの表示領域のうち第１の表示領域と対向した１つの第１の着色層と、第１の表示領域とは別の第２の表示領域と対向した第１の着色層と補色の関係にある１つの第２の着色層と、第１の表示領域及び第２の表示領域とは別の２つの第３の表示領域とそれぞれ対向した２つの透明層と、からなるカラーフィルタと、表示層と受容層との間に重ねられる透明電極層と、カラーフィルタに積層して設けられ、着色層のインキの剥離を防ぐ保護フィルムと、を備える反射型表示装置を提供する。
【００１２】
また、前記表示層を電気泳動表示層とすることができる。また、前記電気泳動表示層を、白色粒子と黒色粒子を含むマイクロカプセルを樹脂中に分散したマイクロカプセル層とすることができる。
【発明の効果】
【００１３】
本発明によると、明るいカラー表示ならびにきれいな白及び黒の表示を可能とする３色表示の反射型表示装置に用いられるカラーフィルタ及びそれを備える反射型表示装置が提供される。
【図面の簡単な説明】
【００１４】
【図１】本発明の一実施形態に係るカラーフィルタを備える電気泳動式表示装置を示す断面図である。
【図２】本発明の一実施形態に係る電気泳動式表示パネルの色表示を説明するための図である。
【図３】従来のフルカラー方式の電気泳動式表示パネルの色表示を説明するための図である。
【図４】従来のモノカラー方式の電気泳動式表示パネルの色表示を説明するための図である。
【発明を実施するための形態】
【００１５】
以下、本発明の実施の形態について詳細に説明する。
【００１６】
また、表示可能色数について下記実施の形態は一例であり下記記載事項に限定されない。
【００１７】
図１は、本発明の一実施形態に係るカラーフィルタを備える電気泳動式表示装置を示す断面図である。
【００１８】
図１に示す電気泳動式表示装置では、表面に所定のパターンの画素電極１１を備える基板１０上に、接着層１２を介して電気泳動表示層１３が形成されている。画素電極１１は、それぞれのスイッチング素子に接続されていて、透明電極層１４との間に正負の電圧が印加可能とされている。電気泳動表示層１３は、分散液中に電気泳動素子を分散した分散媒を封入したマイクロカプセルをバインダー樹脂で固定したものである。
【００１９】
電気泳動表示層１３上には、透明電極層１４、カラーフィルタ１５、及び保護フィルム１６が順次積層されている。カラーフィルタ１５は、補色関係にある２色のサブ画素を含み、例えば、赤色サブ画素Ｒ、シアン色サブ画素Ｃ、及び透明サブ画素Ｔを１画素として構成されている。この場合、各サブ画素は、画素電極１１のパターンと対応して設けられている。
【００２０】
電気泳動表示層１３は、マイクロカプセル殻内に電気極性の異なる２種類の粒子を透明な分散媒中に分散させてなるマイクロカプセルを、バインダー樹脂により固定することにより構成される。
【００２１】
電気極性の異なる２種類の粒子としては、例えば、黒色粒子と白色粒子の組合せがある。黒色粒子には、無機炭素等の無機顔料のほか、ガラスあるいは樹脂等の微粉末、さらにはこれらの複合体などを使用することかできる、一方、白色粒子としては、公知の酸化チタン、シリカ、アルミナ、酸化亜鉛等の白色無機顔料、酢酸ビニルエマルジョンなどの有機化合物、さらにはこれらの複合体などを使用することができる。
【００２２】
カラーフィルタ１５は、液晶表示装置用のカラーフィルタにおいて行われているように、着色レジスト膜のフォトリソグラフィーにより形成することが出来るが、本実施形態におけるような電気泳動式表示装置に用いるカラーフィルタの場合には、受容層を形成し、該受容層に複数のインキを塗布することにより形成することができる。受容層は、樹脂を含む受容層形成用塗液を塗布することにより形成される。
【００２３】
受容層としては、ウレタン樹脂、ポリエステル、アクリル樹脂、ビニルアルコール樹脂等を用いることが出来る。また、受容層には、インキの溶媒の吸収性を高めるため、合成シリカやアルミナなどの多孔質物質を含ませることもできる。受容層の形成は、枚葉処理をおこなうのであれば、スクリーン印刷法やオフセフト印刷法やスピンコート法、ダイによる間歇塗工により形成することができる。また、ロールｔｏロールによる連続処理を行なうのであれば、ダイコーテイング、コンマコート、カーテンコート、グラビアコートなどの汎用の塗布技術による受容層形成が可能である。また、塗工された後の受容層形成用塗液は、乾燥される。乾燥方法としては、加熱、送風等を用いることができる。
【００２４】
本実施形態に係るカラーフィルタの受容層へのインキの塗布方法としては、1画素を区切るためのブラックマトリックスは形成されないので色による塗り分けが必要であるため、スクリーン印刷法、オフセット印刷法、インクジェット印刷法などを用いることができる。中でも位置合せが容易であり、生産性も高いことから、インクジェット印刷法を用いて受容層にインキを吐出し、カラーフィルタを形成することが好ましい。
【００２５】
カラーフィルター１５を形成するためのインキとしては、公知の着色顔料もしくは着色染料を含むインキを用いることができる。カラーフィルター１５は、上述したように、着色画素として補色関係にある２色のサブ画素のみを含むものである。補色関係にある２色は、赤色とシアン色に限らず、マゼンタと緑、黄色と青の組み合わせがある。混色により白色となる補色関係にあるならば、どのような色の組合せをも用いることができる。
【００２６】
補色関係にある２色のサブ画素のそれぞれは、必ずしも１色の着色層からなるものである必要はなく、色の異なる複数の着色層であって、混色により所定の色を示すものであってもよい。たとえば、シアン色サブ画素Ｃは、混色によりシアン色を示す緑色着色層と青色着色層からなるものであってもよい。
【００２７】
図１に示す例では、カラーフィルター１５は、補色関係にある２色（赤色サブ画素Ｒ、シアン色サブ画素Ｃ）と、透明サブ画素Ｔから構成されているが、透明サブ画素Ｔを含まず、補色関係にある２色のみであってもよい。透明サブ画素Ｔは、透明樹脂からなるものであっても、空隙であってもよい。
【００２８】
補色関係にある２色のサブ画素においては、そのサブ画素内の着色面積率は１００％である必要は無いが２０％以上である必要がある。前記サブ画素内の着色面積率が２０％よりも低い場合には色が出ないためである。また、きれいな色を出すとの観点からは前記サブ画素内の着色面積率が３０％以上であることが好ましい。ここで、着色面積率とは、補色関係にある２色のサブ画素において、前記サブ画素の面積に対する前記サブ画素内の着色された部分の面積の割合をいう。
【００２９】
ここで、赤色とは、約６２２〜７７０ｎｍの波長の可視光をいい、その補色とは、その波長範囲の光を吸収し、それ以外の波長の光を透過する光、即ち、シアン色である。
【００３０】
カラーフィルタの１画素内のサブ画素の配置は、下記の図２〜４に示すように対角状の配置、あるいはストライプ状の配置とすることが出来る。この場合、混色を防止するために、着色したサブ画素同士は対角状の配置であることが望ましい。
【００３１】
１画素内に含まれるサブ画素の数については特に限定は無く、各色に着色されたサブ画素の合計の面積（以下、サブ画素の面積とする。）は、同一であっても異なっていてもよい。サブ画素が赤色、シアン色、透明の３つである場合、赤色サブ画素の面積１に対し、シアン色サブ画素の面積は０．５〜２が好ましい。赤色サブ画素の面積１に対するシアン色サブ画素の面積が０．５未満では、白色表示の際に赤みが強くなる傾向となり、２を超えると、白色表示の際の明るさが低下する傾向となる。また、透明サブ画素の面積は、赤色サブ画素の面積１に対し、０〜７．５が好ましく、１〜２がより好ましい。赤色サブ画素の面積１に対する透明サブ画素の面積が７．５を超えると、色味が薄くなる
傾向となる。
【００３２】
各サブ画素のサイズは、矩形の場合、通常、一辺が５０〜２００μｍである。
【００３３】
次に、図１に示す電気泳動式表示装置の動作原理について説明する。
【００３４】
画素電極１１に電圧を印加すると、マイクロカプセルにかかる電界が移動する。画素電極１１が正極のときは、マイクロカプセル内の負に帯電している粒子が画素電極１１側に移動し、正に帯電している粒子が透明電極層１４側に移動する。同様に、画素電極１１が負極のときは、マイクロカプセル内の正に帯電している粒子が画素電極１１側に移動し、負に帯電している粒子が透明電極層１４側に移動する。
【００３５】
例えば、黒色粒子が正に帯電し、白色粒子が負に帯電するようにして、画素電極１１を負極とすると、図１に示すように、黒色粒子が画素電極１１側に移動し、白色粒子が透明電極層１４側に移動する。この場合、すべての光は、表面に白色粒子が存在するマイクロカプセル層で反射し、カラーフィルタ１５を透過する。赤色サブ画素Ｒとシアン色サブ画素Ｃとは補色関係にあるため、それらを透過した光は混ざり合うことにより白色光となり、透明サブ画素Ｔを透過した光とともに、明るく、きれいな白色画像が得られる。
【００３６】
図２は、以上の動作原理に基づく、本発明の一実施形態に係る電気泳動式表示パネルの色表示を説明するための図である。電気泳動式表示パネル２１は、白黒表示の電気泳動表示層２２上に、補色関係にある２色、例えば赤色サブ画素Ｒとシアン色サブ画素Ｃとを含むカラーフィルタ２３を配置した構成を有する。カラーフィルタ２３は、４つのサブ画素で１画素を構成し、残りの２つは透明サブ画素Ｔ、例えば透明樹脂からなる。
【００３７】
図２のうち、（ａ）は、電気泳動表示層２２の１画素に対応する部分すべてを白表示とした場合、（ｂ）は、電気泳動表示層２２の１画素に対応する部分のうち、シアン色サブ画素に対応する部分を黒に、残りの部分を白に表示している場合を示す。
【００３８】
即ち、図２（ａ）に示す場合では、電気泳動表示層２２は１画素に対応する部分すべてが白表示であるため、カラーフィルタ２３を透過する光のすべてが電気泳動表示層２２で反射され、反射された光のうち赤色サブ画素Ｒを透過する光とシアン色サブ画素Ｃを透過する光の混色により、白が表示される。図２（ｂ）に示す場合では、電気泳動表示層２２のシアン色サブ画素Ｃに対応する部分のみが黒表示であるため、カラーフィルタ２３を透過する光は、電気泳動表示層２２のシアン色サブ画素Ｃに対応する部分では反射せず、残りのサブ画素に対応する部分では反射され、反射された光のうち赤色サブ画素Ｒを透過する光により赤が表示される。電気泳動表示層２の１画素に対応する部分すべてを黒表示とすると、カラーフィルタ２３を透過して観察される光は存在せず、黒表示となることはいうまでもない。
【００３９】
図２に示す電気泳動式表示パネル２１の構成によると、２色の補色関係のサブ画素で１色を表示し、のこりのサブ画素は透明樹脂により構成されるため、明るい色（例えば赤）、及びきれいな白ならびに黒の３色を表示することが可能である。
【００４０】
図３は、従来のフルカラーの電気泳動式表示パネル３１を示し、白黒表示の電気泳動表示層３２上に、３原色、例えば赤色サブ画素Ｒ、緑サブ画素Ｇ、及び青サブ画素Ｂを含むカラーフィルタ３３を配置した構成を示す。カラーフィルタ３３は、４つのサブ画素で１画素を構成し、残りの１つのサブ画素は、透明樹脂または空隙からなる透明サブ画素Ｔである。
【００４１】
図３のうち、（ａ）は、電気泳動表示層３２の１画素に対応する部分すべてを白表示とした場合、（ｂ）は、電気泳動表示層３２の１画素に対応する部分のうち、赤色サブ画素Ｒに対応する部分を白に、残りのサブ画素に対応する部分を黒に表示している場合を示す。
【００４２】
即ち、図３（ａ）に示す場合では、電気泳動表示層３２は１画素に対応する部分すべてが白表示であるため、カラーフィルタ３３を透過する光のすべてが電気泳動表示層３２で反射され、反射された光のうち赤色サブ画素Ｒを透過する光、緑サブ画素Ｇを透過する光、及び青サブ画素Ｂを透過する光の混色により、白が表示される。図３（ｂ）に示す場合では、電気泳動表示層３２の赤色サブ画素Ｒに対応する部分のみが白表示であるため、カラーフィルタ３３を透過する光は、電気泳動表示層３２の赤色サブ画素Ｒに対応する部分で反射して、赤色サブ画素Ｒを透過し、残りのサブ画素に対応する部分では反射されず、赤が表示される。
【００４３】
図３に示す電気泳動式表示パネル３１と図２に示す電気泳動式表示パネル２１とを比較すると、電気泳動表示層３２は電気泳動表示層２２とは同一の構成であるが、カラーフィルタ３３は、３つの着色サブ画素を含んでいるため、カラーフィルタ２３に比べ、補色効果を得るためのサブ画素数が多く、白のサブ画素（透明樹脂層）の数が少ないため、着色画像が暗く、また明るい白の画像を得ることができない。
【００４４】
図４は、比較のため、本発明と同様に、白、黒、及び１色の着色の３色表示の電気泳動式表示パネル４１を示し、白黒表示の電気泳動表示層４２上に、１色、例えばサブ画素として赤色サブ画素Ｒを含むカラーフィルタ４３を配置した構成を示す。カラーフィルタ４３は、４つのサブ画素で１画素を構成し、残りの３つのサブ画素は、透明樹脂または空隙からなる透明サブ画素Ｔである。
【００４５】
図４のうち、（ａ）は、電気泳動表示層４２の１画素に対応する部分すべてを白表示とした場合、（ｂ）は、電気泳動表示層４２の１画素に対応する部分のうち、赤色サブ画素Ｒに対応する部分を黒に、残りの３つの透明サブ画素Ｔに対応する部分を白に表示している場合を示す。
【００４６】
即ち、図４（ａ）に示す場合では、電気泳動表示層４３は１画素に対応する部分すべてが白表示であるため、カラーフィルタ４３を透過する光のすべてが電気泳動表示層４２で反射され、反射された光のうち赤色サブ画素Ｒを透過する光により、赤が表示される。図４（ｂ）に示す場合では、電気泳動表示層４２の赤色サブ画素Ｒに対応する部分のみが黒表示であるため、カラーフィルタ４３を透過する光は、電気泳動表示層４２の赤色サブ画素Ｒに対応する部分では反射せず、残りのサブ画素に対応する部分では反射され、そのまま透明樹脂または空隙からなる透明サブ画素Ｔを透過して、白が表示される。
【００４７】
図４に示す電気泳動式表示パネル４１の構成によると、図４（ｂ）において白を表示させる場合、３つの透明サブ画素Ｔのみを透過する光により白を表示させるため、明るいが、赤色サブ画素Ｒの表面での反射により、桃色が表示されてしまう。また、白表示の際には、赤色サブ画素Ｒに対応する電気泳動表示層の部分を黒表示とせざるを得ず、赤色サブ画素Ｒが黒い斑点として表示されることにより表示面がざらついてしまう。
【００４８】
以下に本発明の実施例と比較例を示し、本発明の効果を具体的に示す。
【００４９】
実施例１
図１に示す構造の電気泳動式表示装置を作成した。
【００５０】
ポリエチレン樹脂で表面を被覆した平均粒径３μｍの酸化チタン粉末（白色粒子）と、アルキルトリメチルアンモニウムクロライドで表面処理した平均粒径４μｍのカーボンブラック粉末（黒色粒子）をテトラクロロエチレンに分散し、分散液を得た。この場合、白色粒子が負に帯電し、黒色粒子が正に帯電する。
【００５１】
この分散液をＯ／Ｗエマルジョン化し、ゼラチン−アラビアゴムによるコンプレックス・コアセルベ一ション法によりマイクロカプセルを形成することで、前記分散液をマイクロカプセル中に封入した。このようにして得られたマイクロカプセルを篩い分けして、平均粒径が６０μｍ、５０〜７０μｍの粒径のマイクロカプセルの割合が５０％以上になるように、粒径をそろえた。
【００５２】
次に、固形分４０質量％のマイクロカプセルの水分散液を調製した。この水分散液と、固形分２５質量％のウレタン系バインダー（ＣＰ−７０５０、大日本インキ株式会社製）と、界面活性剤と、増粘剤と、純水を混合し、電気泳動層形成用塗液を作製した。この塗液を、表面にＩＴＯからなる画素電極１１が形成された、例えばガラスからなる基板１０上に塗布し、電気泳動表示層１３を形成した。
【００５３】
この電気泳動表示層１３上にＩＴＯからなる透明導電層１４を形成し、この上に、ポリエステル樹脂系の受容液ＮＳ−１４１ＬＸ（高松油脂株式会社）をコンマコーターを用いて連続塗工を行い、平均膜厚１０μｍの受容層を形成した。
【００５４】
この受容層に対し、インクジェット法により、サブ画素ごとに色分け印刷を行い、カラーフィルタ１５を形成した。このとき、位置合せを行い、画素電極１１に対応する位置にサブ画素を形成した。カラーフィルタ１５は、図２に示すように、１画素が、いずれも矩形の赤色サブ画素Ｒとシアン色サブ画素Ｃ、及び２つの透明サブ画素Ｔを対角状に配置したものとした。
【００５５】
最後に、カラーフィルタ１５上に保護フィルム１６を形成して、電気泳動式表示装置を完成した。
【００５６】
以上のようにして作成した電気泳動式表示装置の表示面の反射率と、ａ＊及びｂ＊を測定した。反射率の測定は、測定装置として分光色差計を用い、条件としてＤ６５光源、２度視差の下で行った。また、ａ＊及びｂ＊の測定は、測定装置として分光色差計を用い、条件としてＤ６５光源、２度視差の下で行った。
【００５７】
その結果、白表示における反射率が３０．３％、シアン色サブ画素に対応する電気泳動表示層の部分のみを黒にした赤表示における反射率が１７．２％であり、いずれも高い値が得られた。
【００５８】
また、白表示におけるａ＊は−４．１、ｂ＊は−１．１であり、きれいな白表示であった。
【００５９】
実施例２
実施例１における１画素を、いずれも矩形の青色サブ画素とイエロー色サブ画素、及び２つの透明サブ画素を対角状に配置したものとした以外を実施例１と同様にし、電気泳動式表示装置を完成した。
【００６０】
以上のようにして作成した電気泳動式表示装置の表示面の反射率と、ａ＊及びｂ＊の測定を実施例１と同様に行った。
【００６１】
その結果、白表示における反射率が３０．１％、イエロー色サブ画素に対応する電気泳動表示層の部分のみを黒にした青表示における反射率が１６．１％であり、いずれも高い値が得られた。
【００６２】
また、白表示におけるａ＊は−４．３、ｂ＊は−１．２であり、きれいな白表示であった。
【００６３】
実施例３
実施例１における１画素を、いずれも矩形の緑色サブ画素とマゼンダ色サブ画素、及び２つの透明サブ画素を対角状に配置したものとした以外を実施例１と同様にし、電気泳動式表示装置を完成した。
【００６４】
以上のようにして作成した電気泳動式表示装置の表示面の反射率と、ａ＊及びｂ＊の測定を実施例１と同様に行った。
【００６５】
その結果、白表示における反射率が３１．５％、マゼンダ色サブ画素に対応する電気泳動表示層の部分のみを黒にした緑表示における反射率が１８．２％であり、いずれも高い値が得られた。
【００６６】
また、白表示におけるａ＊は−４．４、ｂ＊は−１．０であり、きれいな白表示であった。
【００６７】
比較例１
カラーフィルタとして、図３に示す、赤色サブ画素Ｒ、緑色サブ画素Ｇ、青色サブ画素Ｂ、透明サブ画素Ｔからフルカラーの表示装置用のものを用いたことを除いて、実施例と同様に電気泳動式表示装置を作成した。
【００６８】
この電気泳動式表示装置について、実施例と同様に反射率、ａ＊及びｂ＊を測定した。その結果、白表示における反射率が１５．４％、赤表示における反射率が４．７％、青表示における反射率が４．６％、緑表示における反射率が５．８％であり、実施例１〜３に比べ、いずれも低い値であった。
【００６９】
また、白表示におけるａ＊は−４．２、ｂ＊は−１．１であった。
【００７０】
比較例２
カラーフィルタとして、図４に示す、赤色サブ画素Ｒ、３つの透明サブ画素Ｔからモノカラーの表示装置用のものを用いたことを除いて、実施例と同様に電気泳動式表示装置を作成した。
【００７１】
この電気泳動式表示装置について、実施例と同様に反射率、ａ＊及びｂ＊を測定した。その結果、白表示における反射率が２５．５％と高かったが、ａ＊は１．５、ｂ＊は１．９と両方の値ともに実施例１と比較し高くなり白表示の際に赤みを帯びた白色となった。また、赤色サブ画素Ｒに対応する電気泳動表示層の部分が黒表示となることによる表示面のざらつきが見られた。
【００７２】
以上のように、実施例１〜３に係る電気泳動式表示装置の反射率は、白表示、赤表示、青表示、緑表示のいずれの場合においても比較例１に係るフルカラーの電気泳動式表示装置の反射率に比べ高く、白表示におけるａ＊及びｂ＊の値から、比較例２に係るモノカラーの電気泳動式表示装置に比べ、きれいな白表示を示した。また、比較例２に係るモノカラーの電気泳動式表示装置において白表示の際に見られる表示面のざらつきも実施例１〜３に係る電気泳動式表示装置においては見られなかった。
【００７３】
以上、表示装置として電気泳動式表示装置について説明したが、本発明はこれに限らず、様々な表示装置に適用可能である。即ち、反射型表示装置に限らず、透過型表示装置にも適用可能である。透過型表示装置としては液晶表示装置が挙げられ、反射型表示装置としては液晶表示装置、電子ペーパーが挙げられる。電子ペーパーには、電気泳動式表示装置、ツイストボル式表示装置、粉体移動式表示装置がある。また、電気泳動式表示装置には、マイクロカプセル型表示装置、マイクロカップ型表示装置がある。
【００７４】
これらの中では、マイクロカプセル型表示装置に適用した場合に、特に明るい白色表示が得られ、消費電力が小さいという利点を得ることができる。
【符号の説明】
【００７５】
１０・・・基板
１１・・・画素電極
１２・・・接着層
１３，２２，３２，４２・・・電気泳動表示層
１４・・・透明電極層
１５，２３，３３，４３・・・カラーフィルタ
１６・・・保護フィルム
２１，３１，４１・・・電気泳動式表示パネル
【図１】
0005957837.tif 000002
【図２】
0005957837.tif 000003
【図３】
0005957837.tif 000004
【図４】
0005957837.tif 000005